(57)【要約】【課題】組付け作業面及びコスト面において有利なマッサージ器を提供する。【解決手段】患部に当てる押圧部１が本体部に支持されているマッサージ器であって、前記押圧部１が熱を蓄える蓄熱材からなり、前記押圧部１が本体部に対して着脱自在に構成され、また、前記本体部は、前記押圧部１を前記本体部に着脱可能に取り付けるカバー部材２を備え、前記押圧部１には、突出部１１が形成されていて、前記カバー部材２は、前記突出部１１が外部に突出するように前記押圧部１を覆っている。【選択図】図３
2013099375.tif 000002
【特許請求の範囲】
【請求項１】
患部に当てる押圧部が本体部に支持されているマッサージ器であって、
前記押圧部が熱を蓄える蓄熱材からなり、前記押圧部が前記本体部に対して着脱自在に構成されていることを特徴とするマッサージ器。
【請求項２】
前記本体部は、前記押圧部を前記本体部に着脱可能に取り付けるカバー部材を備え、前記押圧部には、突出部が形成されていて、前記カバー部材は、前記突出部が外部に突出するように前記押圧部を覆っていることを特徴とする請求項１に記載のマッサージ器。
【請求項３】
前記カバー部材で覆われている押圧部の外面と該カバー部材の内面との間に断熱空間を形成していることを特徴とする請求項１又は請求項２に記載のマッサージ器。
【発明の詳細な説明】
【技術分野】
【０００１】
本発明は、人体又はペット（犬や猫）など動物の生体の患部を温めながらマッサージするための簡易式（携帯式）のマッサージ器に関する。
【背景技術】
【０００２】
かかるマッサージ器としては、人体の患部を温めながらマッサージすることができるように発熱ランプを備えたものが提案されている。具体的には、前記マッサージ器は、把持部から延出されたアーム部の先端に発熱ランプを備えた押圧部と、発熱ランプに電力を供給する電力源と、電力源からの電力を制御して発熱ランプを所定温度に維持する温度制御回路部と、発熱ランプに電力を供給する状態と電力を供給しない状態とに切り替える入り切りスイッチとを備えている（例えば、特許文献１参照）。
【先行技術文献】
【特許文献】
【０００３】
【特許文献１】実用新案登録第３１５９９７３号公報
【発明の概要】
【発明が解決しようとする課題】
【０００４】
上記特許文献１の構成では、発熱ランプの他に、電力源、温度制御回路部、入り切りスイッチが必要となるだけでなく、それらを接続するための配線等も必要になる。このため、多数の構成部材が必要になり、組付け作業面及びコスト面において不利になるものであった。
【０００５】
本発明が、前述の状況に鑑み解決しようとするところは、組付け作業面及びコスト面において有利なマッサージ器を提供することを課題とする。
【課題を解決するための手段】
【０００６】
本発明のマッサージ器は、前述の課題解決のために、患部に当てる押圧部が本体部に支持されているマッサージ器であって、前記押圧部が熱を蓄える蓄熱材からなり、前記押圧部が前記本体部に対して着脱自在に構成されていることを特徴としている。
【０００７】
上記構成によれば、本体部から取り外した押圧部に熱を蓄え、熱を蓄えた押圧部を本体部に取り付け、押圧部を患部に当てるだけで、患部を温めることができる。押圧部が冷めてきたら、押圧部を取り外して熱を蓄えることにより、患部を再度温めることができる。
【０００８】
また、本発明のマッサージ器は、前記本体部は、前記押圧部を前記本体部に着脱可能に取り付けるカバー部材を備え、前記押圧部には、突出部が形成されていて、前記カバー部材は、前記突出部が外部に突出するように前記押圧部を覆っていてもよい。
【０００９】
上記構成によれば、カバー部材で、突出部が外部に突出するように押圧部を覆っておけば、押圧部の熱が外部に放出され難く、その分長い時間、患部を温めることができる。特に、長時間のマッサージを行う場合、押圧部を再度温める回数を減らすことができる。
【００１０】
また、本発明のマッサージ器は、前記カバー部材で覆われている押圧部の外面と該カバー部材の内面との間に断熱空間を形成していてもよい。
【００１１】
上記構成によれば、カバー部材で覆われている押圧部の外面とカバー部材の内面との間に断熱空間を形成しておけば、押圧部の熱が外部に放出されることを断熱空間がより一層抑えることができ、さらに長い時間、患部を温めることができる。特に、長時間のマッサージを行う場合、押圧部を再度温める回数をより一層減らすことができる。
【発明の効果】
【００１２】
本発明によれば、蓄熱材からなる押圧部を着脱自在にするだけの簡素な構成で患部を温めながらマッサージすることができる。よって、組付け作業面及びコスト面において有利なマッサージ器を提供することができる。
【図面の簡単な説明】
【００１３】
【図１】本発明の手持ち式のマッサージ器を示し、（ａ）はそれの正面図、（ｂ）はそれの平面図である。
【図２】同手持ち式のマッサージ器の側面図である。
【図３】図１（ａ）におけるＩ−Ｉ線断面図である。
【図４】（ａ）は図３におけるＩＩ−ＩＩ線断面図、（ｂ）は図４（ａ）におけるＩＩＩ−ＩＩＩ線断面図である。
【発明を実施するための形態】
【００１４】
図１〜図４に、本発明の手持ち式（簡易式又は携帯式）のマッサージ器を示している。このマッサージ器は、患部に当てる押圧部１と、押圧部１を支持する本体部とから構成されている。本体部は、押圧部１の突出部１１が外部に突出するように押圧部１を覆うカバー部材２と、カバー部材２を支持するアーム部３と、アーム部３のカバー部材２側とは反対側から延びる把持部３１とを備えている。従って、押圧部１を人体の患部に当てることによって、患部をマッサージすることができる。
【００１５】
押圧部１は、熱を蓄える蓄熱材からなり、カバー部材２から外部へ突出して患部に当てる突出部１１と、カバー部材２内に収納される収納部１２とを備えている。
【００１６】
蓄熱材としては、水や岩石、金属塊などの高比熱の材料を冷やしたり加熱して熱を蓄える顕熱蓄熱材と、物質が融けたり凍ったりする際の相変化時に発する熱を利用した潜熱蓄熱材とがあり、ここでは、顕熱蓄熱材を用いているが、潜熱蓄熱材を用いてもよい。
【００１７】
突出部１１は、収納部１２側に位置する第１突出部分１１１と、第１突出部分１１１から更に突出する第２突出部分１１２とからなる二段階に突出する形状になっている。
【００１８】
第１突出部分１１１は、突出側ほど小径となる断面形状が略台形状に形成されている。第２突出部分１１２は、第１突出部分１１１の突出端から突出する断面形状が略半円形状に構成されている。このように二段階に突出させる構成にすることによって、第２突出部分１１２による指圧効果を高めることができながらも、第２突出部分１１２の広がった広い部分で身体を徐々に（じんわりと）温めることができる。
【００１９】
収納部１２は、図３に示すように、後述する固定側カバー部分２１に入り込む円柱状の収納部分１２１と、固定側カバー部分２１から外部に突出しかつ突出する側に向かうほど小径に形成され、しかも外側に凸となるように湾曲されたテーパー部分１２２と、テーパー部分１２２からさらに外部に突出しかつ略同一径で突出する円柱状の先端部分１２３とを有している。
【００２０】
また、押圧部１は、マイクロ波を吸収し自己発熱性に優れるマイクロ波吸収用陶磁器と、マイクロ波吸収用陶磁器の表面を覆うシリコンでなる被覆部材とから構成されている。従って、押圧部１を電子レンジに入れてマイクロ波を照射することによってマイクロ波吸収用陶磁器が発熱して、蓄熱できるようになっている。そして、被覆部材により高温になったマイクロ波吸収用陶磁器からの熱が直接伝わらないようにしているため、火傷等の心配もなく、押圧部１を取り扱うことができる。
【００２１】
マイクロ波吸収用陶磁器を構成する陶磁器材料としては、コージェライト、ムライト、ぺタライト、チタン酸アルミニウム、アルミナ等のセラミックス粉体、あるいはこれらのセラミックス複合粉末、さらには陶磁器用陶土、各種粘度鉱物が挙げられ、粒径が０．１ｍｍ以下、例えば５μｍ以下の粉末状のものが使用される。
【００２２】
カバー部材２は、アーム部３の先端から延びる連結部分３１１に一体形成された固定側カバー部分２１と、この固定側カバー部分２１に着脱自在に取り付けられる可動側カバー部分２２とを備えている。固定側カバー部分２１と連結部分３１１とアーム部３とが各種の合成樹脂で一体形成されている。また、可動側カバー部分２２は、ポリカーボネイト樹脂などの硬質な合成樹脂で構成されている。
【００２３】
固定側カバー部分２１には、押圧部１の一部が入り込むことができる収納空間が形成され、連結部分３１１側とは反対側に収納空間内に押圧部１を挿入するための開口２１Ａが形成されている。つまり、連結部分３１１に一体形成されている円盤状部２１１と、この円盤状部２１１の外周縁から図３において下方に延びる円環状の側壁部２２２とを備えている。側壁部２２２は、円盤状部２１１の外周縁から外側に凸となるように湾曲されかつ開口２１Ａ側ほど大径となるように形成されたお椀状の基端部２２２Ａと、この基端部２２２Ａの開口２１Ａ側端で内周縁から開口２１Ａ側に延出形成した円筒状の先端部２２２Ｂとを備えている。この先端部２２２Ｂは、基端部２２２Ａよりも肉厚に構成された肉厚部２２２ｂと、基端部２２２Ａよりも薄肉に構成された薄肉部２２２ｃとからなっている。この薄肉部２２２ｃの外面に、後述する被係止溝２１２が形成されており、この被係止溝２１２に後述する可動側カバー部分２２の係止片２２１が係止する。
【００２４】
可動側カバー部分２２は、図３において上下方向両端に円形の開口２２Ａ，２２Ｂを備えた略円筒状に構成されている。第１開口２２Ａは、第２開口２２Ｂよりも小さく構成され、第２開口２２Ｂから第１開口２２Ａに向かうほど小径に形成され、かつ、外側に凸となるように湾曲した形状になっている。この可動側カバー部分２２の第１開口２２Ａを形成する内側縁に内側（図４（ｂ）では上側）に突出する環状の突出部２２Ｔ（図４（ｂ）参照）が形成されている。この突出部２２Ｔが、可動側カバー部分２２の装着完了により押圧部１のテーパー部分１２２の図４（ｂ）において下端部側の外面に食い込むことによって、後述する押圧部１を固定側カバー部分２１側へ押し付けて固定するとともに、第１開口２２Ａを閉じることができる。押圧部１の突出部１１の突出量は、押圧部１を患部に押し当てたときに可動側カバー部分２２の突出端部が少し触れる程度が好ましい。
【００２５】
固定側カバー部分２１に対して可動側カバー部分２２が係止構造を介して着脱自在に取付られている。この係止構造は、可動側カバー部分２２の内面に周方向に沿って所定間隔を置いて略山形状に形成された複数（図４（ａ）では４個）の係止片２２１と、これら係止片２２１に係止及び係止解除自在となるように固定側カバー部分２１の内面に周方向に沿って所定間隔を置いて略Ｖ字状に形成された複数（図４（ａ）では４個）の被係止溝２１２とから構成されている。従って、固定側カバー部分２１に可動側カバー部分２２を被せて一方（例えば時計回り）に回転させることによって、係止片２２１が被係止溝２１２に係止して可動側カバー部分２２が回転不能に固定される。また、固定状態から可動側カバー部分２２を反時計回りに回転させることによって、前記係止が解除されて、可動側カバー部分２２を固定側カバー部分２１から取り外すことができる。固定側カバー部分２１に前記薄肉部２２２ｃを備えているから、可動側カバー部分２２を薄肉部２２２ｃに装着することで、可動側カバー部分２２の外面と固定側カバー部分２１との外面とを面一にすることができる。
【００２６】
前記のように押圧部１の一部が突出するように押圧部１の他の部分を覆うカバー部材２を設けることによって、押圧部１の熱が外部に放出され難く、その分長い時間、患部を温めることができる。また、カバー部材２で覆われている押圧部１の外面とカバー部材２の内面との間に断熱空間４が形成されている。このように断熱空間４が形成されることにより、押圧部１の熱が外部に放出されることを断熱空間４がより一層抑えることができ、さらに長い時間、患部を温めることができる。
【００２７】
断熱空間４は、図４（ａ），（ｂ）に示すように、固定側カバー部分２１の内面２１Ａと固定側カバー部分２１に入り込んでいる押圧部１の収納部分１２１の外面１Ａとの間に形成されている第１断熱空間部分４１と、押圧部１のテーパー部分１２２の外面１２２Ａとこれに対応する可動側カバー部分２２の突出側部分の内面２２Ｎとの間に形成されている第２断熱空間部分４２とからなっている。
【００２８】
第１断熱空間部分４１は、固定側カバー部分２１に形成された補強用の第１リブ２１Ｒと、補強用の第２リブ２１Ｓとで形成できるようになっている。第１リブ２１Ｒは、連結部分３１１側端の内面に内側に向けて突出形成された円環状のリブである。また、第２リブ２１Ｓは、固定側カバー部分２１の側壁部２２２の内面に周方向に間隔を置いて突出方向に伸びる複数（図４（ａ）では６個）の直線状のリブである。従って、押圧部１の外面が第１リブ２１Ｒ及び第２リブ２１Ｓに当接した状態になることによって、第１リブ２１Ｒ及び第２リブ２１Ｓの突出量に応じた間隔の隙間が、押圧部１の外面と固定側カバー部分２１の内面との間に形成され、第１断熱空間部分４１が形成される。
【００２９】
第２断熱空間部分４２は、押圧部１のテーパー部分１２２の外面１２２ａとこれに対応する可動側カバー部分２２の内面２２Ｎとの間に隙間が形成されるように可動側カバー部分２２の内径をテーパー部分１２２の外径よりも大きく設定することで、形成されている。
【００３０】
アーム部３は、図１（ａ），（ｂ）及び図２に示すように、把持部３１から円弧状に延びた形状からなり、前記連結部分３１１に一体形成される先端部分３２と、把持部３１と先端部分３２とを繋ぐ中間部分３３とを備えている。
【００３１】
把持部３１は、他の部分よりも正面視において左右幅が大きく設定され、横断面形状が略楕円形に構成されている。また、先端部分３２は、中間部分３３から延びるとともに先端側ほど小径となる断面形状が略円形の第１部分３２１と、先端に位置し、前記連結部分３１１に一体形成される幅広で板状に構成された第２部分３２２とを備えている。また、中間部分３３は、同一径で延びる丸棒に構成されている。
【００３２】
前記のように構成されたマッサージ器の使用方法について説明する。まず、可動側カバー部分２２を前述のように取り外して、押圧部１を固定側カバー部分２１から取り出す（図２の二点鎖線参照）。取り出した押圧部１を電子レンジに入れてマイクロ波を所定時間照射することによって、押圧部１が発熱し、所定温度（例えば５０℃から６０℃）になる。この所定温度になった押圧部１を固定側カバー部分２１に収納して可動側カバー部分２２を取り付けて準備が完了する。この状態になったマッサージ器の把持部３１を持って患部に押圧部１の突出部１１を押し当てることによって、患部を温めながらマッサージすることができる。長時間のマッサージを行いたい場合には、前記手順を繰り返し行うことになる。
【００３３】
尚、本発明は、前記実施形態に限定されるものではなく、本発明の要旨を逸脱しない範囲で種々の変更が可能である。
【００３４】
前記実施形態では、アーム部３を備えたマッサージ器を示したが、アーム部３の無いマッサージ器であってもよい。つまり、把持部のみを備えるマッサージ器であってもよい。尚、この場合、把持部が本体部を構成することになり、どのような形状の把持部であってもよい。
【００３５】
また、前記実施形態では、固定側カバー部分２１に対して可動側カバー部材２２を取り外して押圧部１を取り出し、取り出した押圧部１のみを加熱する構成としたが、押圧部１が収納された状態のカバー部材を取り外して押圧部１をカバー部材と共に加熱する構成であってもよい。
【００３６】
また、前記実施形態では、押圧部１がマイクロ波吸収用陶磁器（顕熱蓄熱材）から構成したが、固形ではなく、液状のものやゲル状のもの（潜熱蓄熱材）を袋に収納して構成してもよい。
【００３７】
また、前記実施形態では、固定側カバー部分２１に対して可動側カバー部材２２を係止構造により着脱自在に構成したが、ねじ込み構造や嵌合構造など各種の構造を用いて着脱自在に構成してもよい。また、固定側カバー部分２１に対して可動側カバー部材２２を取り外した状態で、可動側カバー部材２２が固定側カバー部分２１又はアーム部３に繋がっているように両者が連結部材で連結されている構成であってもよい。このようにしておけば、可動側カバー部材２２を取り外したまま無くしてしまうといったトラブル発生がない。
【００３８】
また、前記実施形態では、押圧部１を覆うカバー部材２を設けたが、カバー部材２を省略した構成であってもよい。つまり、押圧部１が露呈した状態で本体部に対して着脱自在に構成してもよい。
【符号の説明】
【００３９】
１…押圧部、１Ａ…外面、２…カバー部材、３…アーム部、４…断熱空間、１１…突出部、１２…収納部、２１…固定側カバー部分、２１Ａ…開口、２１Ａ…内面、２１Ｒ，２１Ｓ…リブ。２２…可動側カバー部分、２２Ａ，２２Ｂ…開口、２２Ｎ…内面、２２Ｔ…突出部、３１…把持部、３１１…連結部分、３２…先端部分、３３…中間部分、４１…第１断熱空間部分、４２…第２断熱空間部分、１１１，１１２…突出部分、１２１…収納部分、１２２…テーパー部分、１２２Ａ，１２２ａ…外面、１２３…先端部分、２１１…円盤状部、２１２…被係止溝、２２１…係止片、２２２…側壁部、２２２Ａ…基端部、２２２Ｂ…先端部、３２１…第１部分、３２２…第２部分
【図１】
2013099375.tif 000003
【図２】
2013099375.tif 000004
【図３】
2013099375.tif 000005
【図４】
2013099375.tif 000006